(57)【要約】      （修正有）【課題】カメラ装置にもともと装着されていたグリップを取り外す作業を行うことなく、グリップを把持した手の親指によりズーム操作を行うことができるローアングルズームレート装置を提供する。【解決手段】グリップ本体と、ローアングルズームレート装置において、ズームレート装置本体と、前記ズームレート装置本体に正逆回転可能に装着されており、正逆回転させられることによりカメラ装置に装着されたレンズ装置のズームモータを制御するための指示を与えるサムリングと、前記サムリングに設けられており、前記グリップ本体を把持した手の親指により前記サムリングを正逆回転させるように操作されるサムリング操作部と、前記サムリング操作部を前記前側支持部の略軸線上に位置させた状態で、前記ズームレート装置本体を前記カメラ装置用グリップ装置に着脱自在に装着する装着手段と、を備える。【選択図】図１
2008236165.tif 000002
【特許請求の範囲】
【請求項１】
グリップ本体と、
カメラ装置上面から上方に延びて前記グリップ本体の前端に連続した前側支持部と、
前記カメラ装置上面から上方に延びて前記グリップ本体の後端に連続した後側支持部と、
を備えたカメラ装置用グリップ装置に着脱自在に装着されるローアングルズームレート装置において、
ズームレート装置本体と、
前記ズームレート装置本体に正逆回転可能に装着されており、正逆回転させられることにより前記カメラ装置に装着されたレンズ装置のズームモータを制御するための指示を与えるサムリングと、
前記サムリングに設けられており、前記グリップ本体を把持した手の親指により前記サムリングを正逆回転させるように操作されるサムリング操作部と、
前記サムリング操作部を前記前側支持部の略軸線上に位置させた状態で、前記
ズームレート装置本体を前記カメラ装置用グリップ装置に着脱自在に装着する装着手段と、
を備えることを特徴とするローアングルズームレート装置。
【請求項２】
前記装着手段は、前記ズームレート装置本体を前記前側支持部に着脱自在に装着することを特徴とする請求項１に記載のローアングルズームレート装置。
【請求項３】
前記グリップ本体を把持した手の親指で操作されることによりオンオフされるスイッチをさらに備えており、
前記スイッチは、前記グリップ本体を把持した手の親指の到達可能範囲であって前記サムリング操作部の前方かつ上方に位置するズームレート装置本体部分に配置されていることを特徴とする請求項１又は２に記載のローアングルズームレート装置。
【請求項４】
前記装着手段は、前記グリップ本体と前記前側支持部との接続部分であるコーナー部分に前記グリップ本体を把持した手の人差し指が位置するスペースが形成されるように、形成されていることを特徴とする請求項２又は３に記載のローアングルズームレート装置。
【発明の詳細な説明】
【技術分野】
【０００１】
本発明はＥＮＧカメラ用ローアングルグリップ装置に係り、特にローアングルで被写体を撮影する際にＥＮＧカメラを手で保持するためのグリップにズーム操作を行うズーム操作部材を装着したＥＮＧカメラ用ローアングルグリップ装置に関する。
【背景技術】
【０００２】
従来、ローアングルで被写体を撮影する際にＥＮＧカメラを把持するためのグリップにズーム操作を行うズーム操作部材を装着したＥＮＧカメラ用ローアングルグリップ装置が提案されている（例えば特許文献１）。
【０００３】
この特許文献１に記載のローアングルグリップ装置について図面を参照しながら説明する。
【０００４】
図６に示すように、特許文献１に記載のローアングルグリップ装置１８´は、グリップ２０´、グリップ２０´の前端に回転可能に設けられたサムリング２２´（その上面、両側面にはグリップ２０´を把持した手の親指が位置する窪みが形成されている）、サムリング２２´の回転を検出するポテンショメータ２０Ａ´、グリップ２０´を支持する前支持部材５０´及び後支持部材６０´、前支持部材５０´及び後支持部材６０´が取り付けられたベース部材８２´、前記ベース部材８２´等をカメラ装置（図示せず）の上面へ固定するためネジ８４´等を備えている。
【０００５】
このローアングルグリップ装置１８´においては、グリップ２０´を把持した手の親指によりサムリング２２´を正逆回転操作させることでズーム操作を行う。すなわち、サムリング２２´を回転させると、ポテンショメータ２０Ａ´によってサムリング２２´の回転角度等が検出され、この検出された回転角度等がコントロールケーブル（図示せず）を介してドライブユニット（図示せず）に送信される。ドライブユニットは、その送信されたサムリング２２´の回転角度等に応じてレンズ装置内のズームモータ（図示せず）の回転速度、回転方向等を制御してズームリング（図示せず）を回転させ、ズームレンズを移動させる。
【特許文献１】特開平１１−９８３８８号公報
【発明の開示】
【発明が解決しようとする課題】
【０００６】
しかしながら、特許文献１においては、グリップ２０´を把持した手の親指によりズーム操作を行うために、カメラ装置（の上面）にもともと装着されていたグリップを取り外す作業、及び、ローアングルグリップ装置１８´をＥＮＧカメラ装置（の上面）に装着する作業の二つの作業が発生する。
【０００７】
本発明は、このような事情に鑑みてなされたもので、カメラ装置にもともと装着されていたグリップを取り外す作業を行うことなく、グリップを把持した手の親指によりズーム操作を行うことができるローアングルズームレート装置を提供することを目的とする。
【課題を解決するための手段】
【０００８】
請求項１に記載の発明は、グリップ本体と、カメラ装置上面から上方に延びて前記グリップ本体の前端に連続した前側支持部と、前記カメラ装置上面から上方に延びて前記グリップ本体の後端に連続した後側支持部と、を備えたカメラ装置用グリップ装置に着脱自在に装着されるローアングルズームレート装置において、ズームレート装置本体と、前記ズームレート装置本体に正逆回転可能に装着されており、正逆回転させられることにより前記カメラ装置に装着されたレンズ装置のズームモータを制御するための指示を与えるサムリングと、前記サムリングに設けられており、前記グリップ本体を把持した手の親指により前記サムリングを正逆回転させるように操作されるサムリング操作部と、前記サムリング操作部を前記前側支持部の略軸線上に位置させた状態で、前記ズームレート装置本体を前記カメラ装置用グリップ装置に着脱自在に装着する装着手段と、を備えることを特徴とする。
【０００９】
請求項１に記載の発明によれば、サムリング操作部を前側支持部の略軸線上に位置させた状態で、ズームレート装置本体をカメラ装置に着脱自在に装着する装着手段を備えているので、カメラ装置にもともと装着されていたグリップを取り外す作業を行うことなく、もともと装着されていたグリップにローアングルズームレート装置を後付する作業を行うだけで、グリップを把持した手の親指によりズーム操作を行うことが可能となる。また、サムリング操作部が前側支持部の略軸線上に位置しているので、グリップを把持した手の親指により極めて容易にズーム操作を行うことが可能となる。すなわち、カメラマンがグリップ本体と前側支持部の接続位置であるコーナー部に人差し指を配置してグリップ本体を把持したまま（カメラ装置とレンズ装置の重心を考慮してもそのコーナー部に人差し指が配置されるのが持ちやすく適切であり、最も自然な把持の仕方であるといえる）、その把持した手の親指でサムリング（サムリング操作部）を操作することが可能となる。
【００１０】
請求項２に記載の発明は、請求項１に記載の発明において、前記装着手段は、前記ズームレート装置本体を前記前側支持部に着脱自在に装着することを特徴とする。
【００１１】
請求項２に記載の発明によれば、ズームレート装置本体をカメラ装置に着脱自在に装着するだけで、サムリング操作部を前側支持部の略軸線上に位置させることが可能となる。
【００１２】
請求項３に記載の発明は、請求項１又は２に記載の発明において、前記グリップ本体を把持した手の親指で操作されることによりオンオフされるスイッチをさらに備えており、前記スイッチは、前記グリップ本体を把持した手の親指の到達可能範囲であって前記サムリング操作部の前方かつ上方に位置するズームレート装置本体部分に配置されていることを特徴とする。
【００１３】
請求項３に記載の発明によれば、グリップ本体を把持した手の親指の到達可能範囲であってサムリング操作部の前方かつ上方位置にスイッチを配置したので、グリップを把持した手の親指によりズーム操作及びスイッチ操作を自然な動作の流れの中で行うことが可能となる。
【００１４】
請求項４に記載の発明は、請求項２又は３に記載の発明において、前記装着手段は、前記グリップ本体と前記前側支持部との接続部分であるコーナー部分に前記グリップ本体を把持した手の人差し指が位置するスペースが形成されるように、形成されていることを特徴とする。
【００１５】
請求項４に記載の発明によれば、装着手段は、グリップ本体と前側支持部との接続部分であるコーナー部分にグリップ本体を把持した手の人差し指が位置するスペースが形成されるように、形成されているので、グリップ本体を把持した手の人差し指と装着手段が干渉することがない。
【発明の効果】
【００１６】
本発明によれば、カメラ装置にもともと装着されていたグリップを取り外す作業を行うことなく、グリップを把持した手の親指によりズーム操作を行うことができるローアングルズームレート装置を提供することが可能となる。
【発明を実施するための最良の形態】
【００１７】
以下、本発明の第一実施形態であるＥＮＧカメラのローアングルグリップ装置について図面を参照しながら説明する。
【００１８】
図１は、本発明の第一実施形態であるローアングルズームレート装置を装着したＥＮＧカメラの側面図である。図２は、本発明の第一実施形態であるＥＮＧカメラのローアングルズームレート装置の斜視図である。
【００１９】
図１に示すように、ＥＮＧカメラ１０は、カメラ装置１２とレンズ装置１４とを備えている。カメラ装置１２には、レンズ装置１４から導かれた被写体光を撮像する撮像素子や、この撮像素子によって得られた画像信号を記録するＶＴＲ装置等が搭載されている。レンズ装置１４には、フォーカスレンズ、ズームレンズ、絞り等の光学部材が配置され、これらのレンズ、絞りは、フォーカスリング、ズームリング及びアイリスリングの回転操作によって駆動される。
【００２０】
また、レンズ装置１４には、ドライブユニット（図示せず）が装着されている。このドライブユニット内にはズームモータ（サーボモータ）等が搭載されており、このズームモータはギアを介してズームリング等周面に形成されたギアと噛合している。ズームモータは、ドライブユニットに設けられた端子に接続されたコントロールケーブルを介して外部からサムリングの回転角度等を入力することにより、遠隔制御される。なお、ドライブユニットに設けられている切り換えスイッチによってレンズ操作をサーボからマニュアルに切り換えることも可能である。
【００２１】
カメラ装置１２の上面には、ＥＮＧカメラを把持するためのグリップ装置２０が設けられている。このグリップ装置２０は、グリップ本体２１、カメラ装置１２上面に固定された前側固定部２２ａと、前側固定部２２ａから上方に延びてグリップ本体２１の前端に連続した前側支持部２２ｂと、を有する前側グリップ支持体２２と、カメラ装置１２上面に固定された後側固定部２３ａと、後側固定部２３ａから上方（図１中左斜め上方を例示）に延びてグリップ本体２１の後端に連続した後側支持部２３ｂと、を有する後側グリップ支持体２３と、を備えている。
【００２２】
〔ローアングルズームレート装置３０の構成〕
グリップ装置２０（前側支持部２２ｂ）には、ローアングルズームレート装置３０が着脱自在に装着されている。図１、図２に示すように、ローアングルズームレート装置３０は、ズームレート装置本体３３、サムリング３６、ズームレート装置本体３３をカメラ装置１２に固定されたグリップ装置２０に着脱自在に装着する装着手段３８等を備えている。
【００２３】
〔ズームレート装置本体３３の構成〕
図１、図２、図３に示すように、ズームレート装置本体３３は、筒状体３１及び箱状体３２を備えている。筒状体３１には、サムリング３６が回転可能に装着されている。筒状体３１内には、サムリング３６の回転角度等を検出するためのポテンショメータ（図示せず）が内蔵されている。このポテンショメータにより検出されたサムリング３６の回転角度等は、筒状体３１の一端面３１ａに設けられた端子３１ｂから出力され、この端子３１ｂとドライブユニットとを接続するコントロールケーブルＣを介してドライブユニットに送信される。
【００２４】
筒状体３１にはその上方に箱状体３２が設けられている。この箱状体３２の一端面３２ａは筒状体３１の一端面３１ａと略面一に形成されている。この一端面３２ａにはサムリング３６の操作内容を切り替えるためのスイッチ３２ｂが設けられている。このスイッチ３２ｂにより、例えば、サムリング３６を右に回転させるとテレ、左に回転させるとワイドとなるように設定することが可能となる（スイッチ３２ｂを、図４中左方向にセットした場合）。また、スイッチ３２ｂを切り替えることで、サムリング３６を右に回転させるとワイド、左に回転させるとテレとなるように設定することが可能となる。
【００２５】
図２、図３に示すように、箱状体３２はその上面と他端面との間が傾斜面３２ｃに形成されており、この傾斜面３２ｃには、スイッチ３２ｄ（例えば、現在放送中の映像をモニター等に表示させる旨の指示を与えるリバーススイッチ）が設けられている。すなわち、このスイッチ３２ｄは、カメラ装置１２のグリップ本体２１を把持した手の親指の到達可能範囲であってサムリング操作部３４の前方かつ上方に位置するズームレート装置本体３３部分に配置されている。このスイッチ３２ｄのオンオフは、端子３１ｂから出力され、コントロールケーブルＣを介してレンズ装置１４等に伝達される。
【００２６】
〔サムリング３６の構成〕
サムリング３６は、サムリング操作部３４及び半円筒体３５を備えている。このサムリング操作部３４には、グリップ本体２１を把持した手の親指をかけるための凹部３４ａが形成されている（図中上方、両側面の三つの凹部を例示）。サムリング操作部３４の一端部には、外周面の一部が軸方向に切り欠かれた半円筒体３５が連続して設けられている。サムリング操作部３４は、この半円筒体３５の切り欠き部分３５ａを介してズームレート装置本体３３の筒状体３１に回転可能に装着されるようになっている。
【００２７】
サムリング３６を親指で正逆回転させると、その回転角度等がズームレート装置本体３３内に設けられたポーテンショメータ（図示せず）により検出され、この検出された回転角度等がズームレート装置本体３３に設けられた端子３１ｂ、この端子３１ｂに接続されたコントロールケーブルＣを介してドライブユニットに送信される。
【００２８】
〔ズームレート装置本体３３の装着手段３８〕
ズームレート装置本体３３の筒状体３１の他端面３１ｃには板体３７がネジ止め等により固定されている。図２に示すように、この板体３７の筒状体３１が固定された側とは反対側の面には、グリップ装置２０の前側グリップ支持体２２がはまり込む凹部３８ａ、及びこの凹部３８ａの両側それぞれに配置された雌ねじ部３８ｂが設けられている。この雌ねじ部３８ｂ、３８ｂそれぞれに半リング部材３８ｃの両端３８ｄ、３８ｄをネジ止めする。半リング部材３８ｃと凹部３８ａにより形成される断面は、グリップ装置２０の前側グリップ支持体２２の断面よりも若干狭くなるように設定されているので、雌ねじ部３８ｂ、３８ｂそれぞれに半リング部材３８ｃの両端３８ｄ、３８ｄをネジ止めすることで、ズームレート装置３０をグリップ装置２０に着脱自在に装着することが可能となっている。また、図２に示すように、装着手段３８とサムリング操作部３４は、板体３７の同一面側の同一軸線上に配置されているため、ズームレート装置３０をグリップ装置２０に装着するだけで、サムリング操作部３４を前側支持部２２ｂの略軸線上に位置させることが可能となる。
【００２９】
なお、半リング部材３８ｃは、その両端部上方から中央部に向かうにつれて先細りに傾斜するように形成されている。これにより、グリップ本体２１と前側支持部２２ｂとの接続部分であるコーナー部分にグリップ本体２１を把持した手の人差し指が位置するスペースＳが形成されるので（図１、図５等参照）、グリップ本体２１を把持した手の人差し指と装着手段３８が干渉することがない。
【００３０】
〔ローアングルズームレート装置３０の使用例〕
次に、上記構成のローアングルズームレート装置３０の使用例について説明する。
【００３１】
まず、ローアングルズームレート装置３０をカメラ装置１２のグリップ装置２０に装着する。すなわち、サムリング操作部３４を前側支持部２２ｂの略軸線上に位置させた状態で、グリップ装置２０の前側支持部２２ｂを凹部３８ａにはめ込む。そして、この凹部３８ｂ両側の雌ねじ部３８ｂそれぞれに半リング部材３８ｃの両端３８ｄ、３８ｄをネジ止めする。図２に示すように、装着手段３８とサムリング操作部３４は、板体３７の同一面側の同一軸線上に所定間隔をおいて配置されているため、ズームレート装置３０をグリップ装置２０に装着することで、サムリング操作部３４を前側支持部２２ｂの略軸線上に位置させることが可能となっている。次に、ローアングルズームレート装置３０の端子３１ｂとドライブユニットの端子とをコントロールケーブルで接続する。
【００３２】
これにより、カメラ装置１２にもともと装着されていたグリップ装置２０を取り外す作業を行うことなく、もともと装着されていたグリップ２０にローアングルズームレート装置３０を後付する作業を行うだけで、グリップ本体２１を把持した手の親指によりズーム操作を行うことが可能となる。
【００３３】
次に、ローアングルで被写体を撮影する場合、図５に示すように、グリップ本体２１を把持する。この際、半リング部材３８ｃは、両端部上方から中央部に向かうにつれて傾斜するように形成されており、グリップ本体２１と前側支持部２２ｂとの接続部分であるコーナー部分にグリップ本体を把持した手の人差し指が位置するスペースＳが形成されるので（図１、図５参照）、グリップ本体２１を把持した手の人差し指と装着手段３８が干渉することがなく、把持しやすくなっている。
【００３４】
次に、必要に応じてグリップ本体２１を把持した手の親指でサムリング操作部３４を操作し、サムリング３６を回転させる。このサムリング３６の親指操作の際、サムリング操作部３４が前側支持部２２ｂの略軸線上に位置しているので（図１等参照）、グリップ本体２１を把持した手の親指により極めて容易にズーム操作を行うことが可能となる。すなわち、図５に示すように、カメラマンがグリップ本体２１と前側支持部２２ｂの接続位置であるコーナー部Ｓに人差し指を配置してグリップ本体２１を把持したまま（カメラ装置１２とレンズ装置１４の重心を考慮してもそのコーナー部Ｓに人差し指が配置されるのが持ちやすく適切であり、最も自然な把持の仕方であるといえる）、その把持した手の親指でサムリング３６（サムリング操作部３４）を操作することが可能となる。
【００３５】
また、スイッチ３２ｄが、グリップ本体２１を把持した手の親指の到達可能範囲であってサムリング操作部３４の前方かつ上方に位置するズームレート装置本体３３部分に配置されている（図５等参照）。これにより、グリップ本体２１を把持した手の親指によりサムリング３６の操作及びスイッチ３２の操作を親指で自然な動作の流れの中で行うことが可能となる。
【００３６】
以上説明したように本実施形態のローアングルズームレート装置３０によれば、サムリング操作部３４を前側支持部２２ｂの略軸線上に位置させた状態で、ズームレート装置本体３３をカメラ装置１２（前側支持部２２ｂ）に着脱自在に装着する装着手段３８を備えているので、カメラ装置１２にもともと装着されていたグリップ装置２０を取り外す作業を行うことなく、もともと装着されていたグリップ（前側支持部２２ｂ）にローアングルズームレート装置３０を後付する作業を行うだけで、グリップ本体２１を把持した手の親指によりズーム操作を行うことが可能となる。また、サムリング操作部３４が前側支持部２２ｂの略軸線上に位置しているので（図１等参照）、グリップ本体２１を把持した手の親指により極めて容易にズーム操作を行うことが可能となる。すなわち、図５に示すように、カメラマンがグリップ本体２１と前側支持部２２ｂの接続位置であるコーナー部Ｓに人差し指を配置してグリップ本体２１を把持したまま（カメラ装置１２とレンズ装置１４の重心を考慮してもそのコーナー部Ｓに人差し指が配置されるのが持ちやすく適切であり、最も自然な把持の仕方であるといえる）、その把持した手の親指でサムリング３６（サムリング操作部３４）を操作することが可能となる。
【００３７】
また、装着手段３８とサムリング操作部３４は、板体３７の同一面側の同一軸線上に所定間隔をおいて配置されているため（図２等参照）、ズームレート装置本体３３をカメラ装置１２（前側支持部２２ｂ）に着脱自在に装着するだけで、サムリング操作部３４を前側支持部２２ｂの略軸線上に位置させることが可能となる。
【００３８】
また、グリップ本体２１を把持した手の親指の到達可能範囲であってサムリング操作部３４の前方かつ上方位置にスイッチ３２ｄを配置したので（図５等参照）、グリップ本体２１を把持した手の親指によりズーム操作及びスイッチ操作を自然な動作の流れの中で行うことが可能となる。
【００３９】
また、装着手段３８は、グリップ本体２１と前側支持部２２ｂとの接続部分であるコーナー部分にグリップ本体２１を把持した手の人差し指が位置するスペースＳが形成されるように、形成した。すなわち、半リング部材３８ｃを、その両端部上方から中央部に向かうにつれて先細りに傾斜するように形成したので（図１、図５等参照）、グリップ本体２１を把持した手の人差し指と装着手段３８が干渉することがなく、把持しやすくなっている。
【００４０】
なお、本実施形態においては、ズームレート装置本体３３を前側支持部２２ｂに着脱自在に装着するように説明したが本発明はこれに限定されない。例えば、ズームレート装置本体３３を後側支持部２３ｂ又はグリップ本体２１等に着脱自在に装着するようにしてもよい。
【００４１】
また、本実施形態においては、ローアングルグリップ装置がＥＮＧカメラに着脱自在に装着されるように説明したが本発明はこれに限定されない。例えば、他の種類のカメラに装着することも可能である。
【００４２】
また、本実施形態においては、装着手段３８が凹部３８ａ、この凹部３８ａの両側それぞれに配置された雌ねじ部３８ｂ、及び、この雌ねじ部３８ｂ、３８ｂそれぞれに両端３８ｄ、３８ｄをネジ止めする半リング部材３８ｃであるように説明したが本発明はこれに限定されない。他の各種の装着手段を採用することが可能である。
【００４３】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４４】
【図１】本発明の第一実施形態であるローアングルズームレート装置を装着したＥＮＧカメラの側面図である。
【図２】本発明の第一実施形態であるＥＮＧカメラのローアングルズームレート装置の斜視図である。
【図３】図２に示したローアングルズームレート装置の側面図である。
【図４】図２に示したローアングルズームレート装置の背面図である。
【図５】本発明の第一実施形態であるローアングルズームレート装置の使用例を説明するための図である。
【図６】従来例を説明するための図である。
【符号の説明】
【００４５】
１０…ＥＮＧカメラ、１２…カメラ装置、１４…レンズ装置、２０…グリップ装置、２１…グリップ本体、２２…前側グリップ支持体、２２ａ…前側固定部、２２ｂ…前側支持部、２３…後側グリップ支持体、２３ａ…後側固定部、２３ｂ…後側支持部、３０…ローアングルズームレート装置、３１…筒状体、３１ａ…一端面、３１ｂ…端子、３１ｃ…他端面、３２…箱状体、３２ａ…一端面、３２ｂ…スイッチ、３２ｃ…傾斜面、３２ｄ…スイッチ、３３…ズームレート装置本体、３４…サムリング操作部、３４ａ…凹部、３５…半円筒体、３５ａ…切り欠き部分、３６…サムリング、３７…板体、３８…装着手段、３８ａ…凹部、３８ｂ…雌ねじ部、３８ｃ…半リング部材、３８ｄ…端部、Ｃ…コントロールケーブル
【図１】
2008236165.tif 000003
【図２】
2008236165.tif 000004
【図３】
2008236165.tif 000005
【図４】
2008236165.tif 000006
【図５】
2008236165.tif 000007
【図６】
2008236165.tif 000008